(57)【要約】【課題】安全な操作で、太陽光発電モジュールが、設置面に対して角度を持った状態を保持することによって、太陽電池セルの最適傾斜角度を保つことができ、且つ強風時などに、自動的に安全な状態に移行する事ができること。【解決手段】側壁部に設置される太陽電池モジュール１において、該太陽電池モジュール１は建造物等の側壁部に収納され、建造物の壁面等の側壁部に対して揺動可能であり、側壁部に対して角度を設けることができ、その角度を支持手段６により保ち、支持は太陽電池モジュール１に外力が働く事により解除される。【選択図】図１０
2006245496.tif 000002
【特許請求の範囲】
【請求項１】
側壁部に太陽電池モジュールが揺動自在に設置され、該太陽電池モジュールを所定の角度で支持する支持手段が設けられ、該支持手段による支持は、前記太陽電池モジュールに太陽電池モジュールの仰角方向の外力が働くことにより解除されることを特徴とする太陽電池モジュールの設置構造。
【請求項２】
前記外力により前記太陽電池モジュールの支持が解除された際に、前記太陽電池モジュールは自動的に収納状態に保持されることを特徴とする請求項１に記載の太陽電池モジュールの設置構造。
【請求項３】
前記太陽電池モジュールには受け部が突設され、該受け部に前記支持手段が接触することにより、前記太陽電池モジュールの角度を保持することを特徴とする請求項１又は２に記載の太陽電池モジュールの設置構造。
【請求項４】
前記太陽電池モジュールを揺動させる動力を入力する動力入力手段と、その動力を前記支持手段に伝達する動力伝達手段とを有し、前記支持手段は太陽電池モジュールを駆動させる駆動部を備え、前記駆動部は動力伝達手段からの動力を一方向にのみ駆動することを特徴とする請求項１に記載の太陽電池モジュールの設置構造。
【請求項５】
前記動力入力手段に付与される動力により、前記太陽電池モジュールの角度を設けるための支持手段の駆動と連動して、前記太陽電池モジュールを収納状態に保持する手段の解除も行うことを特徴とする請求項４に記載の太陽電池モジュールの設置構造。
【請求項６】
前記動力入力手段は、太陽電池モジュールの受光面と反対側にあることを特徴とする請求項５に記載の太陽電池モジュールの設置構造。
【請求項７】
前記請求項１記載の支持手段と別に支持解除手段を有し、該支持解除手段は前記太陽電池モジュールを揺動させることで前記支持手段の支持を解除することを特徴とする請求項1に記載の太陽電池モジュールの設置構造。
【請求項８】
側壁部に太陽電池モジュールを揺動自在に設置し、該太陽電池モジュールを支持手段で所定の角度に支持する太陽電池モジュールの設置方法において、
太陽電池モジュールを動力入力手段で揺動させ、所定の角度に支持する太陽電池モジュールにその仰角方向の外力が働いた際に、前記支持手段が解除され、前記太陽電池モジュールは保持可能位置に戻ることを特徴とする太陽電池モジュールの設置方法。
【請求項９】
前記太陽電池モジュールが揺動することにより、前記支持手段が収納され、収納保持ロック手段は、自動的に太陽電池モジュールを収納状態に保持することを特徴とする請求項８に記載の太陽電池モジュールの設置方法。
【請求項１０】
前記太陽電池モジュールが支持された状態において、前記動力入力手段に動力を供給し、前記支持手段を前記太陽電池モジュールの支持状態より仰角方向に駆動することにより、前記支持手段と連動して前記支持解除手段を駆動し、該支持解除手段が前記太陽電池モジュールを支持することにより、前記支持手段は前記太陽電池モジュールの支持を解除し、前記動力入力手段への動力を中止することにより、前記支持手段および前記支持解除手段の双方の支持が解除されることを特徴とする請求項９に記載の太陽電池モジュールの設置方法。
【発明の詳細な説明】
【技術分野】
【０００１】
本発明は、太陽電池モジュールを側壁部に設置する太陽電池モジュールの設置構造及びその方法に関するものである。
【背景技術】
【０００２】
近年、太陽光発電の重要性が増してきており、住宅用システム、産業用システムなどが開発されて来ている。太陽電池モジュールは、太陽光エネルギーを電気エネルギーに変換する複数の太陽電池セルを電気的に接続したものを、保護枠に収容するという構成になっている。太陽電池モジュールは、一般的に、専用の架台を設けて住宅や工場の屋根に設置されている。
【０００３】
更に、近年、集合住宅など各家庭に屋根の無いような住宅においても、ベランダの壁面などを利用して、太陽電池モジュールを設置する方法も検討されている。
【特許文献１】特開２００２−１６８０６２号公報
【発明の開示】
【発明が解決しようとする課題】
【０００４】
しかしながら、住宅の屋根の傾斜角度は数通りに設定されており、必ずしも太陽光発電セルの傾斜角度が太陽に対して最適であるとは言えない。また、集合住宅の場合においても、一般的に壁面が地面に対して垂直方向であるため、太陽光発電セルの傾斜角度は最適とはなっていない。
【０００５】
この傾斜角度を最適とするために、屋根面、壁面から太陽電池モジュールの一端を浮かせることにより、最適化する方法も考えられるが、外観を損なうばかりでなく、強風などの際に太陽電池モジュールの裏面に風が入り込み、相当な力が太陽電池モジュールの固定部にかかるため、十分な強度が確保できる架台を必要とする。また、太陽光発電セルの最適傾斜角度は、１年を通して一定ではなく、季節によって変化するものであるが、太陽電池モジュールを固定してしまえば、容易に角度の変更を行う事ができない。
【０００６】
また、この課題に対して、太陽電池モジュールの角度を可変させる機能を持たせる方法も検討されているが、太陽電池モジュールの重量は人が簡単に持ち運びできるような重量ではなく、角度を可変させるのに相当な労力を必要としている。
【０００７】
また、集合住宅の壁面に設置される場合においては、ベランダに乗り出して太陽電池モジュールの角度を変える必要があり、非常に危険な作業が伴う。
【０００８】
本発明は、安全な操作で、太陽光発電モジュールが、設置面に対して数通りの角度を持った状態を保持することによって、太陽電池セルの最適傾斜角度を保つことができ、且つ強風時などに、自動的に安全な状態に移行させ得ることを課題とする。
【課題を解決するための手段】
【０００９】
本発明は、前記課題を解決するために、太陽電池モジュールの設置構造及びその方法としてなされたもので、太陽電池モジュールの設置構造としての特徴は、建造物等の側壁部に太陽電池モジュールが揺動自在に設置され、該太陽電池モジュールを所定の角度で支持する支持手段が設けられ、該支持手段による支持は、前記太陽電池モジュールに太陽電池モジュールの仰角方向の外力が働くことにより解除されることにある。
【００１０】
また、本発明は、建造物の壁面等の側壁部に対して揺動可能であり、設置壁面に対して角度を設けることができ、その角度を支持部により保ち、支持は太陽電池モジュールに強風などの外力が働く事により解除され、角度を保った状態での支持が解除された際、太陽電池モジュールは自動的に収納状態に保持されるため、安全であり、特に人間の操作を必要とせず、不在時などに不安全になることも無く、特に注意を払う必要も無い。
【００１１】
本発明は、前記外力により前記太陽電池モジュールの支持が解除された際に、前記太陽電池モジュールは自動的に収納状態に保持されることにある。
【００１２】
さらに、本発明は、前記太陽電池モジュールには受け部が突設され、該受け部に前記支持手段が接触することにより、前記太陽電池モジュールの角度を保持する。このため、太陽電池モジュールが固定ではなく、接触で保持されるため、外力が働いた際に、容易に収納状態に移行する事ができる。
【００１３】
また、前記太陽電池モジュールを揺動させる動力を入力する動力入力手段と、その動力を前記支持手段に伝達する動力伝達手段とを有し、前記駆動部は動力伝達手段からの動力を一方向にのみ駆動し、前記支持手段は太陽電池モジュールを駆動させる駆動部を備えることにある。
【００１４】
また、前記動力入力手段に付与される動力により、前記太陽電池モジュールの角度を設けるための支持手段の駆動と連動して、前記太陽電池モジュールを収納状態に保持する手段の解除も行うことにある。かかる本発明は、動力入力手段に付与する入力は、収納状態を保持する手段の解除も同時に行うことができるため、別途部品を設ける必要がなく、各々の操作を別に行う煩雑さがなく、確実な操作が行える。
【００１５】
また、前記動力入力手段は、太陽電池モジュールの受光面と反対側である例えば建造物の屋内側にあり、しかも、前記支持手段と別に支持解除手段を有し、該支持解除手段は前記太陽電池モジュールを揺動させることで前記支持手段の支持を解除することにある。
【００１６】
本発明の太陽電池モジュールの設置方法は、建造物等の側壁部に太陽電池モジュールを揺動自在に設置し、該太陽電池モジュールを支持手段で所定の角度に支持する太陽電池モジュールの設置方法において、太陽電池モジュールを動力入力手段で揺動させ、所定の角度に支持する太陽電池モジュールにその仰角方向の外力が働いた際に、前記支持手段が解除され、前記太陽電池モジュールは保持可能位置に戻ることにある。
【００１７】
かかる本発明の太陽電池モジュールの設置方法は、前記本発明の太陽電池モジュールの設置構造を容易に実施することができる。
【００１８】
さらに、本発明の設置方法は、前記太陽電池モジュールが揺動することにより、前記支持手段が収納され、収納保持ロック手段は、自動的に太陽電池モジュールを収納状態に保持することにある。
【００１９】
また、前記太陽電池モジュールが支持された状態において、前記動力入力手段に動力を供給し、前記支持手段を太陽電池モジュールの支持状態より仰角方向に駆動することにより、前記支持手段と連動して支持解除手段を駆動し、該支持解除手段が前記太陽電池モジュールを支持することにより、前記支持手段は前記太陽電池モジュールの支持を解除し、前記動力入力手段への動力を中止することにより、前記支持手段および前記支持解除手段の双方の支持が解除されることにある。
【発明の効果】
【００２０】
本発明の太陽電池モジュールの設置構造、並びに方法によれば、太陽電池モジュールに強風などの外力が働いた場合、太陽電池モジュールの角度を保った状態での支持が解除され、また、太陽電池モジュールは自動的に収納状態に保持されるため、安全であり、特に人間の操作が不要となる。
【発明を実施するための最良の形態】
【００２１】
本発明の実施の形態について、図面を参照しながら説明する。図１〜図２３は、本発明に係る太陽電池モジュールの設置構造（太陽電池モジュールを住宅の壁面に設置した場合）の一実施の形態を示す。なお、太陽電池モジュールの設置場所は特に限定されるものではなく、住宅や工場の屋根や、ベランダの手すり面などにも設置可能である。また、太陽電池モジュールの枚数も特に限定は無く、配置についても、上下左右、自由に配置する事ができる。
【００２２】
太陽電池モジュールの設置構造は、図１〜図４、図１０および図１１に示すように、壁面３に揺動自在に取り付けられた太陽電池モジュール１と、太陽電池モジュール１を壁面３に収納した状態でロックする収納保持ロック手段４と、太陽電池モジュール１に所定の角度を持たせるべく、太陽電池モジュール１を揺動させる動力入力手段としての動力入力装置５と、太陽電池モジュール１を支持する支持部（支持手段）６と、太陽電池モジュールの支持を解除するための支持解除部（支持解除手段）７と、支持部６および支持解除部７に解除自在に係合する受部８とを備えている。
【００２３】
前記壁面３には、図１および図２に示すように、収納開口３ａが複数形成され、各収納開口３ａに太陽電池モジュール１がそれぞれ収納されている。太陽電池モジュール１上部の両側には、図３に示すように、孔１１が設けられており、また、壁面３の収納開口３ａの内周面側にも孔３１がそれぞれ設けられている。太陽電池モジュール１は、これら孔１１、孔３１に挿入された軸２によって、壁面３に、該軸２を中心として揺動可能取り付けられている。なお、本実施の形態では、軸２は水平方向となっているが、特に水平に限定されるものではない。
【００２４】
前記収納保持ロック手段４は、図３に示すように、収納開口３ａの下縁に形成された保持ロック手段収納部３２に収容されている。収納保持ロック手段４は、図６に示すように、太陽電池モジュール１の下縁部に下方から解除自在にロックする上向きの突起４１と、回転軸挿入用の孔４２と、歯車部４３とから構成されている。収納保持ロック手段４は、回転軸挿入用の孔４２に挿通された支持軸４４を支点にして、壁面３に回転自在に取り付けられ、太陽電池モジュール１の収納状態において、太陽電池モジュール１を揺動が規制された状態で保持する。収納保持ロック４はバネなどの付勢手段により、常にロック状態を保つような外力を受けている。
【００２５】
前記動力入力装置５は、図４、図５、図１０および図１１に示すように、太陽電池モジュール１の背面側に設けられ、ペダル５１と、太陽電池モジュール１を駆動する動力を伝達するためにペダル５１の端部に固定された一対の歯車５２と、両歯車５２の外側に同心状に設けられ且つ収納保持ロック４を駆動する動力を伝達するために、収納保持ロック手段４の歯部４３に噛み合う歯車５３とから構成されている。ペダル５１の端部および各歯車５２、５３の中心には、回転軸挿入用の孔５１ａが形成されている。この回転軸挿入用の孔５１ａに挿通された支持軸５５が、壁面３の背面に突設された一対の後壁３３、３３間に支持されることにより、ペダル５１が上下方向に揺動自在になっている。
【００２６】
本実施の形態は、歯車５２及び歯車５３は、各々２枚ずつ設けられているが、この構造については、特に限定されるものではない。また、この動力を入力する手段はペダルに限定されるものではなく、レバーなどの手段でも可能であるし、また、ペダルを動かす動作をモーターなどの動力を利用することもできる。また、本実施の形態は、太陽電池モジュールの背面側の壁にペダルを設けているが、動力入力装置の設置位置は任意に決めることができる。また、本実施の形態は、一枚の太陽電池モジュール１に１台の動力入力装置５を設けているが、１台の動力入力装置５で複数の太陽電池モジュール１を動作させることも可能である。
【００２７】
前記支持部６を図７および図９に示す。支持部６は、太陽電池モジュール１と接触し支持する接触部６１を一端に有し、他端には歯車６３が設けられている。支持部６の両側には、前記支持解除部７と連結する突起６４が突設され、歯車６３の中心には、回転軸挿入用の孔６２が形成されている。歯車６３は一方向にのみ支持部本体６１と共に回転し、逆方向には共に回転せず空転するような構造（駆動部）となっている。
【００２８】
前記支持解除部７を図８および図９に示す。支持解除部７は、支持部６の両側にそれぞれ設けられ、各支持解除部７は、回転軸挿入用の孔７１と、支持を解除する際に太陽電池モジュール１側と接触する突起部７２と、孔７１を中心とする円弧状の長孔７３が形成されている。
【００２９】
そして、支持部６の孔６２と支持解除部７の孔７１には、軸１４が挿入され、支持解除部７は、支持部６に対して軸１４を中心にして自由に回転可能である。支持解除部７に設けられた円弧状の長孔７３には、支持部６に設けられた突起６４が挿入されている。従って、支持部６と支持解除部７とは、突起６４が長孔７３内を移動できる範囲内で一定の角度を持って相対回転できるようになっている。
【００３０】
図１０および図１１に示すように、支持部６と支持解除部７を支持する軸１４が、壁面３側に取り付けられ、支持部６と支持解除部７は、垂下した状態となっている。支持部６の歯車６３と、動力入力装置５の歯車５２には、チェーン９が巻き掛けられている。動力入力装置５の歯車５３は、収納保持ロック手段４の歯部４３と噛み合っている。歯車６３と支持部６とは、前記のように方向性を持って接続されており、歯車６３が時計回りに回転した場合、支持部６も同様に時計回りに回転するが、歯車６３が反時計回りに回転した場合は、支持部６は回転しない。また、支持部６が、反時計回りに回転した場合、歯車６３は回転しないが、時計回りに回転した場合は、歯車６３も同様に時計回りに回転する。この構造は自転車の後輪に用いられている歯車とハブをそのまま転用することも可能である。
【００３１】
本実施の形態では、支持部６の歯車６３とペダル５１がチェーン９にて連動連結され、収納保持ロック４の歯車４３とペダル５１の歯車５３が噛み合っているが、この構成は特に限定はなく、歯車６３と歯車５３が噛み合い、歯車４３とペダル５１の歯車５２がチェーンで結ばれていても良い。
【００３２】
前記受け部８は、太陽電池モジュール１の背面１５０に突設されている。この受け部８は、図１４に示すように、太陽電池モジュール１に対して所定の角度傾斜する、第一傾斜面８１および第二傾斜面８２、８２と、突起部８３とを有している。第一傾斜面８１は、支持部６の接触部６１が摺動するものである。第二傾斜面８２は、支持解除部７の突起部７２の先端部が摺動するように、第一傾斜面８１の両側に配置されている。また、両方の第二傾斜面８２、８２は、第一傾斜面８１よりも長く設定されている。突起部８３は、第二傾斜面８２を摺動する支持解除部７の移動を規制すべく、第二傾斜面８２から連続して突出されている。
【００３３】
次に、前記太陽電池モジュールの設置構造の動作について説明する。
【００３４】
収納状態における太陽電池モジュール１の断面図は図１０に示すとおりである。かかる収納状態の太陽電池モジュール１を仰角方向に移動させるために、ペダル５１を踏んで太陽電池モジュール１が駆動される直前の同断面図を図１２に示す。なお、動作が明確になるよう、壁面などは図面上省略する。
【００３５】
ペダル５１を踏むと、ペダル５１は支持軸５５を中心にして下方に回転するため、歯車５２は時計回りに回転する。歯車５２の動力は、チェーン９を介して支持部６側の歯車６３に伝達され、これにより支持部６が軸１４を中心に時計回りに回転する。支持部６が回転すると、支持部６の接触部６１が太陽電池モジュール１に接触し、支持部６の回転力は、太陽電池モジュール１が軸２を中心として、仰角方向へ回転動作する動力となる。なお、支持解除部７は、突起６４が長孔７３内を摺動自在なので、自重により支持部６に対して下方（反時計回り）に所定の角度で開いた状態となる。
【００３６】
また、歯車５２の回転と同時に、歯車５３も同方向に回転するため、その歯車５３の動力は該歯車５３と噛み合っている収納保持ロック手段４の歯車部４３に伝達され、これにより収納保持ロック手段４は反時計回り（下方の解除方向）に回転する。図１２に示す円弧状の点線１６は、軸２を中心として太陽電池モジュール１が移動する軌跡を示したものであり、ペダル５１の踏み込み量が更に増すと、収納保持ロック手段４の突起４１は更に下降して、太陽電池モジュール１との係合が解除され、太陽電池モジュール１が仰角方向に移動可能となる。
【００３７】
更に、支持部６に押されて所定の角度まで回転した太陽電池モジュール１は、ペダルを離しても、支持部６と太陽電池モジュール１側に設けられた受け部８とで所定の角度に支持される（図１３参照）。このように太陽電池モジュール１の支持が確定するまでの動作について説明する。図１５は支持部６と太陽電池モジュール１側の受け部８との接触部を拡大した断面図である。支持部６は、先端の接触部６１を太陽電池モジュール１の背面１５０に摺動させながら、太陽電池モジュール１を持ち上げていく。受け部８の下端まで到達すると、支持部６の接触部６１は太陽電池モジュール１の背面１５０を離れ、受け部８の第一傾斜面８１を摺動し、図１６に示すように、エッジ１６０に到達する。
【００３８】
更に支持部６が仰角方向に回転を続けると、支持部６の接触部６１はエッジ１６０を通過し、図１７に示すように、太陽電池モジュール１は自重により矢印１７０の方向（閉じる方向）に移動し、支持部６は、受け部８の上面に接触し載置された状態となる。この状態でペダル５１の動力を停止すると、支持部６は自重により反時計回りに回転しようとするが、受け部８が下方から係合するため、回転する事はできず、太陽電池モジュール１を支持することができる。
【００３９】
次に、太陽電池モジュール１が、所定の角度に設定された状態から支持を解除し、収納状態に移行する動作について説明する。
【００４０】
上記太陽電池モジュール１の支持状態にてペダル５１を離すと、収納保持ロック４に収納状態に戻ろうとする時計回りの力が作用しているため、ペダル５１の歯車５３に収納保持ロック４の歯車４３からの動力が伝達され、歯車５３は反時計回りに回転し、ペダル５１は初期状態に復帰する。尚、図示していないが、ペダル５１が初期状態よりも踏み込みと反対方向に回転しないようストッパーを設けている。
【００４１】
この時、支持部６側の歯車６３は、支持部６が停止した状態で歯車５２と噛み合ったチェーン９により反時計回りに回転する。この状態から、もう一度ペダルを踏むと、受け部８上の支持部６は時計回りに回転し、太陽電池モジュール１を更に仰角方向に回転させる動力を発生する。この支持部６の回転に伴って、支持解除部７も時計回りに回転するが、支持解除部７の突起７２の先端面が、受け部８の第二傾斜面８２を摺動し、更に太陽電池モジュール１を仰角方向に回転させ、支持部６は太陽電池モジュール１から離間する。
【００４２】
支持部６は、歯車６３の駆動力により位置を維持しており、太陽電池モジュール１は支持解除部７によって支持された状態となる（図１９参照）。更にペダルを踏み込むと、受け部８に設けられた突起８３に支持解除部７の突起７２が下方から接触し、それ以上ペダルを踏み込むことができなくなる（図２０参照）。
【００４３】
この状態でペダル５１を離すと、支持部６は位置を維持する力を失い、反時計回りに回転を始める。支持解除部７も、その突起７２と受け部８の傾斜面８２との接触面で摩擦を受けながら、反時計回りに回転を始める。支持部６の先端である接触部６１は支持解除部７により太陽電池モジュール１が支持されている間に、受け部８と接触することなく、軌道２１０上を通り抜け、図２１に示す状態となり、その後は、太陽電池モジュール１、支持部６、支持解除部７がほぼ同体となって反時計回りの回転をし、太陽電池モジュール１の自重によって収納保持ロック４を押し下げ、収納状態に移行する。
【００４４】
ここで、太陽電池モジュール１は、通常枠なしで１平方メートル当たりおおよそ２〜５Kgある。太陽電池モジュール１は、重力に対して壁面方向（閉じる方向）に回動するため、本実施の形態の場合は太陽電池モジュール平面に対して法線方向の動力が作用する。つまり、支持解除部７と太陽電池モジュール１の背面１５０との接触面がモジュール背面１５０と同一平面である場合（支持解除部７をモジュール１の背面１５０に直接に接触させる場合）で考えた場合に、図２０に示すようにモジュール１の背面１５０と支持解除部７との間の角度θ１が、90度未満の場合は支持解除部７が下方向に動く力を受け、90度以上では上方に押し上げられる力を受ける。
【００４５】
本実施形態のように太陽電池モジュール１の背面１５０とは異なる面同士の接触の場合（受け部８を設けた場合）は、受け部８と支持解除部７との接触面の状態（摩擦係数、接触面の向き）により、支持解除部７が自然落下するかどうか決定される。例えば同図に示す支持解除部７と受け部８の傾斜面８２との間の角度θ２が鈍角の場合で、且つその接触面の摩擦係数が０の場合は、支持解除部７はペダル５１を離した際に、自然落下するが、θ２の角度と、支持解除部７および受け部８の接触面の摩擦係数を所定の値に設定することで、自然落下が始まる時間を操作できる。
【００４６】
つまり、太陽電池モジュール１が重力により回動することで、θ２の角度が小さくなり状態が変わることで自然落下の開始ポイントが操作できる。例えば、ペダル５を放した後、前半は傾斜面８２と突起７２の湾曲部の接触面には摩擦力が加わり、一定時間（数秒）傾斜面８２の平面を突起７２が接触しながらスライドし自然落下が抑制される（図２１参照）。その間に支持部６は支持部８の下方に通り過ぎ、太陽電池モジュール１及び支持解除部７の回動により力のバランスが崩れ支持解除部７の自然落下が開始する。
【００４７】
なお、便宜上で角度θ１を90度未満の場合を例示したが、角度θ１が90度を超える範囲でも角度θ２と前記摩擦係数のバランス条件が整えば同様の現象が起こり得る。好ましくは本実施の形態のように傾斜面８２を配置し、角度θ２が90度以上に設定することでモジュール１の回動を促進し、角度θ１を略90とすることで荷重を支持解除部７に効率よく伝えることができる。
【００４８】
次に、強風などにより、太陽電池モジュール１が仰角方向に回転するような外力を受けた場合について説明する。
【００４９】
太陽電池モジュール１が仰角方向への外力２２０により仰角方向に移動すると、支持部６と受け部８の位置関係は図２２のようになり、支持部６は受け部８の支持を失うため、自重により矢印２２１方向の力を受け、反時計回りに回転する。また、太陽電池モジュール１も支持部６による支持を失うため、自重により収納位置へと反時計回りに回転する。強風のように連続して外力を受け続ける場合に備えて、太陽電池モジュールの自重のみではなく、バネなどにより、常に反時計回りに力を与えておくことも可能である。
【００５０】
また、太陽電池モジュール１がある角度以上は仰角方向に回転しないよう制限する機能を付加しておくことも可能であり、図２３に示すように、上記減衰力を持たせる機能も付加して、付加的にダンパー２３０を使用することもできる。なお、かかるダンパー２３０は、太陽電池モジュール１の収納方向の移動に対して減衰力を持たせることにより、収納状態に移行する時に壁面と太陽電池モジュールの衝突の衝撃を緩和する構造とすることができる。
【００５１】
次に、太陽電池モジュール１を複数の角度にて支持可能とする実施の形態を示す。太陽電池モジュール１を複数の角度にて支持するには、図１０に示すように、太陽電池モジュール１の上下方向に、複数個の受け部８、８Ａを所定の間隔をおいて設けることにより達成することができる。尚、最も大きい角度の位置（太陽電池モジュール１の上部）には実施形態１の前記受け部８を設けることで、それ以外の受け部８Ａは、必ずしも解除用の第二傾斜面を設ける必要はない。したがって、前記太陽電池モジュールの設置側に対する角度を複数設定できる。かかる本発明は、太陽電池モジュールと太陽の最適な角度は季節ごとに異なるが、該太陽電池モジュールと側壁部の角度を複数設定できるため、太陽電池セルの最適傾斜角度に対して自由に太陽電池モジュールの角度を変えることができる。前記動力入力手段と、前記支持手段とが離れた位置に配置されることが好ましい。このように、動力入力手段と、支持手段とを離れた位置に配置するため、屋根に設置した太陽電池モジュールの角度を変更したり、屋外に設置された太陽電池モジュールを屋内から操作したりすることができる。
【００５２】
かかる支持解除の方法は、太陽電池モジュール１の支持状態からペダルを踏む事により、最も大きい角度の支持の状態まで持ち上げ、さらにペダルを踏む事により、上記実施形態1の受け部８の支持を解除する。この解除により、太陽電池モジュール１、支持部６、支持解除部７がそれぞれ反時計回りの回転をするが、上記ダンパー２３０を設け、支持部６、支持解除部７が収納状態になった後、太陽電池モジュール１が収納状態となり、支持部６、支持解除部７と太陽電池モジュール１の背面１５０が干渉しないように減衰力を与える。
【図面の簡単な説明】
【００５３】
【図１】本発明に係る一実施の形態を説明するための太陽電池モジュールの設置構造の斜視図である。
【図２】図１の太陽電池モジュールと壁面に角度を持たせた斜視図である。
【図３】図１の太陽電池モジュールのうち1枚を拡大した斜視図である。
【図４】本実施の形態の太陽電池モジュールの背面側から見た斜視図である。
【図５】外部より動力を入力するペダルが接続された部品の斜視図である。
【図６】収納保持ロックの斜視図である。
【図７】太陽電池モジュールを支持する支持部の斜視図である。
【図８】太陽電池モジュールの支持を解除するための支持解除部の斜視図である。
【図９】支持部と支持解除部の組立状態を示す斜視図である。
【図１０】図１のＡ−Ａ断面図である。
【図１１】図１０のペダル近辺の拡大断面図である。
【図１２】ペダルを踏んで太陽電池モジュールが駆動される直前のペダル近辺の拡大断面図である。
【図１３】太陽電池モジュールが所定の角度に保持されている状態を示す断面図である。
【図１４】受け部の斜視図である。
【図１５】支持部と太陽電池モジュール側の受け部との接触部を拡大した支持部断面図である。
【図１６】支持部の先端が受け部のエッジに到達した時の支持部拡大断面図である。
【図１７】太陽電池モジュールの位置が確定した時の支持部拡大図である。
【図１８】太陽電池モジュールの位置が確定した時の断面図である。
【図１９】支持部の支持が解除され支持解除部の支持に移行した時の支持部拡大図である。
【図２０】ペダルが踏めなくなった時の支持部拡大図である。
【図２１】ペダルに入力がなくなった際の支持部拡大図である。
【図２２】外力が働いた時の支持部拡大図である。
【図２３】太陽電池モジュールにダンパーを設けた側面図である。
【符号の説明】
【００５４】
１      太陽電池モジュール
３      取り付け壁面
３１    壁面孔
４      収納保持ロック
４３    歯車部
５２、５３  歯車
６      太陽電池モジュールの支持部（支持手段）
６３    歯車
７      支持解除部（支持解除手段）
９      チェーン
８      太陽電池モジュール側の受け部
１５０  太陽電池モジュールの裏面
【図１】
2006245496.tif 000003
【図２】
2006245496.tif 000004
【図３】
2006245496.tif 000005
【図４】
2006245496.tif 000006
【図５】
2006245496.tif 000007
【図６】
2006245496.tif 000008
【図７】
2006245496.tif 000009
【図８】
2006245496.tif 000010
【図９】
2006245496.tif 000011
【図１０】
2006245496.tif 000012
【図１１】
2006245496.tif 000013
【図１２】
2006245496.tif 000014
【図１３】
2006245496.tif 000015
【図１４】
2006245496.tif 000016
【図１５】
2006245496.tif 000017
【図１６】
2006245496.tif 000018
【図１７】
2006245496.tif 000019
【図１８】
2006245496.tif 000020
【図１９】
2006245496.tif 000021
【図２０】
2006245496.tif 000022
【図２１】
2006245496.tif 000023
【図２２】
2006245496.tif 000024
【図２３】
2006245496.tif 000025